(57)【要約】    【課題】      静止端末装置及び移動端末装置の各々に対して適切に基地局装置のリソースを割り当てること。    【解決手段】  基地局装置１０２は、自身がカバーするセル内に属している通信端末装置１０１が通話中又は待受中であるかの状態を管理する端末状態管理部１０７と、通信端末装置１０１が静止中であるか又は移動中であるかを判定する判定部１０５１と、判定結果に基づいて求められる移動中端末装置及び静止端末装置の各々の数に応じてリソースの予約を割り当てるリソース予約割当部１０５２と、を備え、通信端末装置１０１の実際の状態に即した状態管理をし、移動中端末装置及び静止端末装置の各々に対してリソースを適切に割り当てる。  【選択図】      図１
2005142766.tif 000002
【特許請求の範囲】
【請求項１】
自身がカバーするセル内に属している通信端末装置が通信中又は待受中であるかの端末状態を判定する端末状態判定手段と、
前記端末状態を管理する端末状態管理手段と、
前記端末状態管理手段で前記端末状態を管理している前記通信端末装置が静止中であるか又は移動中であるかを判定し判定結果を生成する判定手段と、
前記判定結果に基づいて求められる移動中の前記通信端末装置及び静止中の前記通信端末装置の各々の数に応じて前記各々に対してリソースを予約するリソース予約割り当て手段と、
を具備することを特徴とする基地局装置。
【請求項２】
前記端末状態判定手段は、前記通信端末装置のために前記リソースが確保されている時に前記通信端末装置を通信中と判定し、かつ、前記通信端末装置が前記基地局装置に対して位置登録を行い他の前記通信端末装置からの通信を着信できる時に前記通信端末装置を待受中と判定することを特徴とする請求項１記載の基地局装置。
【請求項３】
前記通信端末装置が定期的に発信する信号を検出する定期信号検出手段を具備し、
前記判定手段は、前記セルにおいて前記通信端末装置が位置登録をする時に前記通信端末装置を移動中であると判定し、前記定期信号検出手段が前記通信端末装置からの前記信号をその後一定期間検出した時には前記判定結果を移動中から静止中へ変更することを特徴とする請求項１及び請求項２のいずれかに記載の基地局装置。
【請求項４】
前記通信端末装置が定期的に発信する信号を検出し前記信号の電波強度を測定する電波測定手段を具備し、
前記判定手段は、前記セルにおいて前記通信端末装置が位置登録をする時に前記通信端末装置を移動中であると判定し、その後前記電波測定手段が検出する前記信号の電波強度の変動が一定の範囲内にある時には前記判定結果を移動中から静止中へ変更することを特徴とする請求項１及び請求項２のいずれかに記載の基地局装置。
【請求項５】
前記通信端末装置が定期的に発信する前記信号は、共通チャネルのチャネライゼーションコード、スクランブリングコード又はピリオディックアップデートであることを特徴とする請求項３及び請求項４のいずれかに記載の基地局装置。
【請求項６】
前記リソース予約割り当て手段は、前記セル内の静止中の前記通信端末装置及び移動中の前記通信端末装置の各々の数の一定割合の数を静止中の前記通信端末装置用の予約リソース及び移動中の前記通信端末装置用の予約リソースとして基地局装置のリソースから割り当てることを特徴とする請求項１から請求項５のいずれかに記載の基地局装置。
【請求項７】
通信を開始する前記通信端末装置に対して基地局装置のリソースを確保するリソース確保手段を具備し、
前記リソース確保手段は、前記通信の開始する前記通信端末装置に前記基地局装置の前記リソースを確保する時には予約されていない前記リソースから先に確保することを特徴とする請求項１から請求項６のいずれかに記載の基地局装置。
【請求項８】
前記リソース予約割り当て手段は、前記通信端末装置が通信の終了する場合又は前記通信端末装置がハンドオーバーを伴い他のセルに移動する場合に前記リソース確保手段が確保した前記リソースが解放される時には、割り当てられるべき静止中の前記通信端末装置用の予約リソース及び移動中の前記通信端末装置用の予約リソースの数を再度求めて実際の予約リソースの数が不足している時には予約されている前記リソース及び通信している前記通信端末装置用に確保されている前記リソース以外の前記リソースから前記予約リソースを追加することを特徴とする請求項１から請求項７のいずれかに記載の基地局装置。
【請求項９】
基地局装置がカバーするセル内に属している通信端末装置が通話中又は待受中であるかの端末状態を判定するステップと、
前記端末状態を管理するステップと、
前記端末状態を管理している前記通信端末装置が静止中であるか又は移動中であるかを判定し判定結果を生成するステップと、
前記判定結果に基づいて求められる移動中の前記通信端末装置及び静止中の前記通信端末装置の各々の数に応じて前記各々に対してリソースの予約を割り当てるステップと、
を具備することを特徴とする基地局装置におけるリソース予約割り当て方法。
【請求項１０】
前記セルにおいて前記通信端末装置が位置登録をする時に前記通信端末装置を移動中であると判定するステップと、前記通信端末装置からの前記信号をその後一定期間検出した時には前記判定結果を移動中から静止中へ変更するステップと、具備することを特徴とする請求項９に記載の基地局装置におけるリソース予約割り当て方法。
【請求項１１】
前記セルにおいて前記通信端末装置が位置登録をする時に前記通信端末装置を移動中であると判定するステップと、その後前記信号の電波強度の変動が一定の範囲内にある時には前記判定結果を移動中から静止中へ変更するステップと、を具備することを特徴とする請求項９に記載の基地局装置におけるリソース予約割り当て方法。
【請求項１２】
前記セル内の静止中の前記通信端末装置及び移動中の前記通信端末装置の各々の数の一定割合の数を静止中の前記通信端末装置用の予約リソース及び移動中の前記通信端末装置用の予約リソースの数として前記基地局装置のリソースから割り当てるステップと、通信の開始する前記通信端末装置に前記基地局装置の前記リソースを確保する時には予約されていない前記リソースを先に確保するステップと、前記通信端末装置が通信の終了する場合又は前記通信端末装置がハンドオーバーを伴い他のセルに移動する場合に前記通信端末装置のために確保されていた前記リソースが解放される時には割り当てられるべき静止中の前記通信端末装置用の予約リソース及び移動中の前記通信端末装置用の予約リソースの数を再度求めて実際の前記予約リソースの数が不足している時には予約されている前記リソース及び通信している前記通信端末装置用に確保されている前記リソース以外の前記リソースから前記予約リソースを追加するステップと、を具備することを特徴とする請求項９から請求項１１のいずれかに記載の基地局装置におけるリソース予約割り当て方法。
【発明の詳細な説明】
【技術分野】
【０００１】
本発明は、通信端末装置と無線通信を行う基地局装置及び基地局装置におけるリソースの割り当て方法に関するものである。
【背景技術】
【０００２】
近年携帯電話機の普及は目覚ましく、２００１年に日本で最初にＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ，広帯域符号分割多重アクセス）規格の携帯電話サービスが始まっている。通信技術に関しても、ディジタル携帯電話機では音声と低速のパケット通信のみであったものが、Ｗ−ＣＤＭＡの導入により、２００２年現在で３８４ｋｂｐｓのサービスが開始されるなど、広帯域伝送が可能になってきている。
【０００３】
また、Ｗ−ＣＤＭＡだけでなく、通信全般で通信形態の多様化が進んでいる。Ｗ−ＣＤＭＡでは広帯域伝送を生かした様々なアプリケーションが提供されるため、携帯電話による無線通信を収容する基地局装置がカバーするセル（カバーエリア）内で発生するトラヒックの種類も、テレビ会議などの高速パケット伝送による高速伝送の呼が増えている。また、これまでは通信を利用するのは人間が主であったが、通信モジュールの低コスト化が進展することにより物流やテレメトリングなどの機械間通信への応用例も増えている。
【０００４】
一方、基地局においても、同じ出力ならば伝搬距離が低周波数帯に比べ短くなる高周波数帯の利用により基地局１基あたりのセルが狭くなるため、無線網のサービスエリア拡大のために多数の基地局が必要となり、その設置コストが上昇する傾向がある。よって、低コストでサービスエリアを拡大するためには、数十チャネル程度を収容する低費用及び小容量の基地局が多数設置されることが考えられる。
【０００５】
また、基地局単位のトラヒックの性質を考える場合、大容量の基地局は、高い収容能力が要求されるトラヒック量が大きい場所に設置されるため、全体としてみたときは統計の大数の法則に従いトラヒックの変化もなだらかになると考えられる。しかし、基地局１基あたりのセルの縮小化及びトラヒックの種類の多様化並びに通信端末装置の多様化に伴い、１個の基地局のセルにおけるトラヒックの変化は相対的に大きくなる。特に小容量の基地局においては、トラヒック量が基地局の収容能力を使い切るほど大きくなることが起こる頻度が高くなると考えられる。その場合、基地局がより重要な呼を判断して、そのような呼に対して優先的にサービスを提供することが求められる。
【０００６】
例えば、特許文献１には、Ｗ−ＣＤＭＡのような小セル構成の通信網においてセル間を移動しない通信端末装置（以下、静止端末装置と呼ぶ）を優先して基地局のリソースを割り当てる方式が開示されている。ここで、リソースとは、主にベースバンド信号の処理を行うために必要なハードウェアの処理能力を指すが、リソース割り当ての方式は無線チャネルの送信電力やチャネルの割り当てに要する記憶領域等の割り当て方式も含むものである。
【０００７】
静止端末装置に対して優先的にリソースを割り当てるのは、まず、セルを移動しながら通信する通信端末装置（以下、移動中端末装置と呼ぶ）は、複数の基地局と同時に通信を行ういわゆるセル間ハンドオーバーを行うので、網全体として見た場合に、セルを移動しない静止端末装置の倍以上のリソースを消費するためである。
【０００８】
また、移動中端末装置は、静止端末装置より広範囲に干渉を引き起こす。そのため、移動中端末装置は、移動中端末装置の近傍に存在する静止端末装置の無線通信の品質を低下させ強制切断を引き起こす可能性がある。この場合、移動中端末装置が近づいたことにより突然通信が切断したとしても、静止端末装置の利用者はその原因を認識できない。そのため、静止端末装置の通信が切断することは、移動中端末装置の通信が切断する場合に比べ不都合が多い。
【０００９】
そこで、特許文献１では、基地局が割り当てるリソースを移動中端末装置用と静止端末装置用に分け、移動中端末装置の呼に対しては移動中端末装置用のリソースを、静止中の端末に対しては静止端末装置用のリソースを優先して割り当てる方式を示している。この従来のリソースの割り当て方式においては、通信端末装置がハンドオーバーを伴い自セルに進入してきた時に基地局装置はその通信端末装置を移動中端末装置として扱い、また、自セル内で通信端末装置が発呼した時に基地局装置はその通信端末装置が自セルにいる限り静止端末装置として扱う。
【００１０】
また、各基地局は、各々のセル内の発呼量を一定間隔で測定し、発呼量が予め設定された閾値を超えたら静止端末装置用のリソースを増加させ、かつ、移動中端末装置用のリソースを減少させる。逆に、基地局装置は、発呼量が閾値以下になった場合には移動中端末装置用のリソースを増加させ、かつ、静止端末装置用のリソースを減少させる。これにより、発呼量が少ない場合は移動中端末装置用のリソースが増加し、他のセルから進入してきた通信端末装置に対して確実にリソースを割り当てられると共に、発呼量が多い場合には移動中端末装置用のリソースが減少するため、静止端末装置に確実にリソースを割り当てることで、全体としてみたときに収容能力を向上させることが可能になる。
【特許文献１】特開平８−９４６４号公報
【発明の開示】
【発明が解決しようとする課題】
【００１１】
しかしながら、従来の基地局装置においては、その基地局がカバーするエリア内に属する通信端末装置が待受中であるか否かを考慮せず、その結果当然にその状態の通信端末装置が静止中であるのか移動中であるのかを管理していなかったため、静止端末装置及び移動端末の各々に対して適切にリソースを割り当てることができない問題がある。また、従来の基地局装置においては、一度静止端末装置に割り振られた通信端末装置が移動しても同一のセル内にいる限りは静止端末装置のままであり、その通信端末装置が実際に静止している通信端末装置に対して近づくことにより干渉を引き起こす問題がある。
【００１２】
本発明は、かかる点に鑑みてなされたものであり、通信端末装置が待受中であるか否かを考慮し、その通信端末装置が静止中であるか移動中であるかを判定し通信端末装置の実際の状態に即した状態管理をし、移動中の通信端末装置及び静止中の通信端末装置の各々に対してリソースを適切に割り当てることができる基地局装置及びリソース予約の割り当て方法を提供することである。
【課題を解決するための手段】
【００１３】
請求項１に係る基地局装置は、自身がカバーするセル内に属している通信端末装置が通信中又は待受中であるかの端末状態を判定する端末状態判定手段と、前記端末状態を管理する端末状態管理手段と、前記端末状態管理手段で前記端末状態を管理している前記通信端末装置が静止中であるか又は移動中であるかを判定し判定結果を生成する判定手段と、前記判定結果に基づいて求められる移動中の前記通信端末装置及び静止中の前記通信端末装置の各々の数に応じて前記各々に対してリソースを予約するリソース予約割り当て手段と、を具備する構成を採る。
【００１４】
この構成によれば、通信端末装置が待受中であるか否かを考慮し、その通信端末装置が静止中であるか移動中であるかを判定し通信端末装置の実際の状態に即した状態管理をし、移動中の通信端末装置及び静止中の通信端末装置の各々に対してリソースの予約を適切に行うことにより、移動中の通信端末装置及び静止中の通信端末装置の各々に対してリソースを確実に確保することができる。
【００１５】
請求項２に係る基地局装置は、請求項１に係る基地局装置において、前記端末状態判定手段は、前記通信端末装置のために前記リソースが確保されている時に前記通信端末装置を通信中と判定し、かつ、前記通信端末装置が前記基地局装置に対して位置登録を行い他の前記通信端末装置からの通信を着信できる時に前記通信端末装置を待受中と判定する構成を採る。
【００１６】
この構成によれば、請求項１の効果と同様に、通信端末装置が待受中であるか否かを考慮し、その通信端末装置が静止中であるか移動中であるかを判定し通信端末装置の実際の状態に即した状態管理をし、移動中の通信端末装置及び静止中の通信端末装置の各々に対してリソースの予約を適切に行うことにより、移動中の通信端末装置及び静止中の通信端末装置の各々に対してリソースを確実に確保することができる。
【００１７】
請求項３に係る基地局装置は、請求項１及び請求項２のいずれかに係る基地局装置において、前記通信端末装置が定期的に発信する信号を検出する定期信号検出手段を具備し、前記判定手段は、前記セルにおいて前記通信端末装置が位置登録をする時に前記通信端末装置を移動中であると判定し、前記定期信号検出手段が前記通信端末装置からの前記信号をその後一定期間検出した時には前記判定結果を移動中から静止中へ変更する構成を採る。
【００１８】
この構成によれば、請求項１及び請求項２のいずれかの効果に加えて、通信端末装置が静止中であるか移動中であるかの判定結果をその通信端末装置の実際の状態に即して変更するため、リソースの予約をさらに適切に行うことにより、移動中の通信端末装置及び静止中の通信端末装置の各々に対してリソースをさらに確実に確保することができる。また、この構成によれば、通信端末装置が静止中であるか移動中であるかの判定結果をその通信端末装置の実際の状態に即して変更するため、実際に静止している通信端末装置に対して起こる干渉を防止することができる。
【００１９】
請求項４に係る基地局装置は、請求項１及び請求項２のいずれかに係る基地局装置において、前記通信端末装置が定期的に発信する信号を検出し前記信号の電波強度を測定する電波測定手段を具備し、前記判定手段は、前記セルにおいて前記通信端末装置が位置登録をする時に前記通信端末装置を移動中であると判定し、その後前記電波測定手段が検出する前記信号の電波強度の変動が一定の範囲内にある時には前記判定結果を移動中から静止中へ変更する構成を採る。
【００２０】
この構成によれば、請求項１及び請求項２のいずれかの効果に加えて、通信端末装置が静止中であるか移動中であるかの判定結果をその通信端末装置の実際の状態に即して変更するため、リソースの予約をさらに適切に行うことにより、移動中の通信端末装置及び静止中の通信端末装置の各々に対してリソースをさらに確実に確保することができる。また、この構成によれば、通信端末装置が静止中であるか移動中であるかの判定結果をその通信端末装置の実際の状態に即して変更するため、実際に静止している通信端末装置に対して起こる干渉を防止することができる。
【００２１】
請求項５に係る基地局装置は、請求項３及び請求項４のいずれかに係る基地局装置において、前記通信端末装置が定期的に発信する前記信号は、共通チャネルのチャネライゼーションコード、スクランブリングコード又はピリオディックアップデートである構成を採る。
【００２２】
この構成によれば、請求項３及び請求項４のいずれかの効果と同様に、通信端末装置が静止中であるか移動中であるかの判定結果をその通信端末装置の実際の状態に即して変更するため、リソースの予約をさらに適切に行うことにより、移動中の通信端末装置及び静止中の通信端末装置の各々に対してリソースをさらに確実に確保することができる。また、この構成によれば、通信端末装置が静止中であるか移動中であるかの判定結果をその通信端末装置の実際の状態に即して変更するため、実際に静止している通信端末装置に対して起こる干渉を防止することができる。
【００２３】
請求項６に係る基地局装置は、請求項１から請求項５のいずれかに係る基地局装置において、前記リソース予約割り当て手段は、前記セル内の静止中の前記通信端末装置及び移動中の前記通信端末装置の各々の数の一定割合の数を静止中の前記通信端末装置用の予約リソース及び移動中の前記通信端末装置用の予約リソースとして基地局装置のリソースから割り当てる構成を採る。
【００２４】
この構成によれば、請求項１から請求項５の効果と同様に、移動中の通信端末装置及び静止中の通信端末装置の各々に対してリソースの予約を適切に行うことにより、移動中の通信端末装置及び静止中の通信端末装置の各々に対してリソースを確実に確保することができる。
【００２５】
請求項７に係る基地局装置は、請求項１から請求項６のいずれかに係る基地局装置において、通信を開始する前記通信端末装置に対して基地局装置のリソースを確保するリソース確保手段を具備し、前記リソース確保手段は、前記通信の開始する前記通信端末装置に前記基地局装置の前記リソースを確保する時には予約されていない前記リソースから先に確保する構成を採る。
【００２６】
この構成によれば、請求項１から請求項６のいずれかの効果に加えて、リソース確保手段が通信の開始する通信端末装置に基地局装置のリソースを確保する時には予約されていないリソースから先に確保することにより、移動中の通信端末装置及び静止中の通信端末装置の各々に対してリソースをより確実に確保することができる。
【００２７】
請求項８に係る基地局装置は、請求項１から請求項７のいずれかに係る基地局装置において、前記リソース予約割り当て手段は、前記通信端末装置が通信の終了する場合又は前記通信端末装置がハンドオーバーを伴い他のセルに移動する場合に前記リソース確保手段が確保した前記リソースが解放される時には、割り当てられるべき静止中の前記通信端末装置用の予約リソース及び移動中の前記通信端末装置用の予約リソースの数を再度求めて実際の予約リソースの数が不足している時には予約されている前記リソース及び通信している前記通信端末装置用に確保されている前記リソース以外の前記リソースから前記予約リソースを追加する構成を採る。
【００２８】
この構成によれば、請求項１から請求項７のいずれかの効果と同様に、通信端末装置が待受中であるか否かを考慮し、その通信端末装置が静止中であるか移動中であるかを判定し通信端末装置の実際の状態に即した状態管理をし、移動中の通信端末装置及び静止中の通信端末装置の各々に対してリソースの予約を適切に行うことにより、移動中の通信端末装置及び静止中の通信端末装置の各々に対してリソースを確実に確保することができる。また、この構成によれば、通信端末装置が静止中であるか移動中であるかの判定結果をその通信端末装置の実際の状態に即して変更するため、リソースの予約をさらに適切に行うことにより、移動中の通信端末装置及び静止中の通信端末装置の各々に対してリソースをさらに確実に確保することができる。また、この構成によれば、通信端末装置が静止中であるか移動中であるかの判定結果をその通信端末装置の実際の状態に即して変更するため、実際に静止している通信端末装置に対して起こる干渉を防止することができる。
【００２９】
請求項９に係る基地局装置におけるリソース予約割り当て方法は、基地局装置がカバーするセル内に属している通信端末装置が通話中又は待受中であるかの端末状態を判定するステップと、前記端末状態を管理するステップと、前記端末状態を管理している前記通信端末装置が静止中であるか又は移動中であるかを判定し判定結果を生成するステップと、前記判定結果に基づいて求められる移動中の前記通信端末装置及び静止中の前記通信端末装置の各々の数に応じて前記各々に対してリソースの予約を割り当てるステップと、を具備するようにした。
【００３０】
この方法によれば、通信端末装置が待受中であるか否かを考慮し、その通信端末装置が静止中であるか移動中であるかを判定し通信端末装置の実際の状態に即した状態管理をし、移動中の通信端末装置及び静止中の通信端末装置の各々に対してリソースの予約を適切に行うことにより、移動中の通信端末装置及び静止中の通信端末装置の各々に対してリソースを確実に確保することができる。
【００３１】
請求項１０に係る基地局装置におけるリソース予約割り当て方法は、請求項９に係るリソース予約割り当て方法において、前記セルにおいて前記通信端末装置が位置登録をする時に前記通信端末装置を移動中であると判定するステップと、前記通信端末装置からの前記信号をその後一定期間検出した時には前記判定結果を移動中から静止中へ変更するステップと、具備するようにした。
【００３２】
この方法によれば、請求項９の効果に加えて、通信端末装置が静止中であるか移動中であるかの判定結果をその通信端末装置の実際の状態に即して変更するため、リソースの予約をさらに適切に行うことにより、移動中の通信端末装置及び静止中の通信端末装置の各々に対してリソースをさらに確実に確保することができる。また、この方法によれば、通信端末装置が静止中であるか移動中であるかの判定結果をその通信端末装置の実際の状態に即して変更するため、実際に静止している通信端末装置に対して起こる干渉を防止することができる。
【００３３】
請求項１１に係る基地局装置におけるリソース予約割り当て方法は、請求項９に係るリソース予約割り当て方法において、前記セルにおいて前記通信端末装置が位置登録をする時に前記通信端末装置を移動中であると判定するステップと、その後前記信号の電波強度の変動が一定の範囲内にある時には前記判定結果を移動中から静止中へ変更するステップと、を具備するようにした。
【００３４】
この方法によれば、請求項９の効果に加えて、通信端末装置が静止中であるか移動中であるかの判定結果をその通信端末装置の実際の状態に即して変更するため、リソースの予約をさらに適切に行うことにより、移動中の通信端末装置及び静止中の通信端末装置の各々に対してリソースをさらに確実に確保することができる。また、この方法によれば、通信端末装置が静止中であるか移動中であるかの判定結果をその通信端末装置の実際の状態に即して変更するため、実際に静止している通信端末装置に対して起こる干渉を防止することができる。
【００３５】
請求項１２に係る基地局装置におけるリソース予約割り当て方法は、請求項９から請求項１１のいずれかに係るリソース予約割り当て方法において、前記セル内の静止中の前記通信端末装置及び移動中の前記通信端末装置の各々の数の一定割合の数を静止中の前記通信端末装置用の予約リソース及び移動中の前記通信端末装置用の予約リソースの数として前記基地局装置のリソースから割り当てるステップと、通信の開始する前記通信端末装置に前記基地局装置の前記リソースを確保する時には予約されていない前記リソースを先に確保するステップと、前記通信端末装置が通信の終了する場合又は前記通信端末装置がハンドオーバーを伴い他のセルに移動する場合に前記通信端末装置のために確保されていた前記リソースが解放される時には割り当てられるべき静止中の前記通信端末装置用の予約リソース及び移動中の前記通信端末装置用の予約リソースの数を再度求めて実際の前記予約リソースの数が不足している時には予約されている前記リソース及び通信している前記通信端末装置用に確保されている前記リソース以外の前記リソースから前記予約リソースを追加するステップと、を具備するようにした。
【００３６】
この方法によれば、請求項９から請求項１１にいずれかの効果に加えて、通信の開始する通信端末装置に基地局装置のリソースを確保する時には予約されていないリソースから先に確保することにより、移動中の通信端末装置及び静止中の通信端末装置の各々に対してリソースをより確実に確保することができる。
【発明の効果】
【００３７】
本発明によれば、基地局装置において、通信端末装置が待受中であるか否かを考慮し、その通信端末装置が静止中であるか移動中であるかを通信端末装置の実際の状態に即して判定し通信端末装置の状態管理をして、移動中の通信端末装置及び静止中の通信端末装置の各々に対してリソースを適切に割り当てることができる。
【発明を実施するための最良の形態】
【００３８】
本発明の骨子は、基地局装置がカバーするエリア内に属している通信端末装置が通話中であるか待受中であるかの状態を判定及び管理し、かつ、通話中のみならず待受中においてもその通信端末装置が静止中であるか移動中であるかを通信端末装置の実際の状態に即して判定して、移動中の通信端末装置及び静止中の通信端末装置の各々に対して基地局装置のリソースを適切に割り当てることである。
【００３９】
（実施の形態１）
図１は、実施の形態１に係る基地局装置１０２の構成を示すブロック図である。図１において、基地局装置１０２は、通信端末装置１０１と無線により通信を行い、また、ネットワークシステム１０３と有線により通信を行う。基地局装置１０２は、そのセル内に通信端末装置１０１を収容し、その通信端末装置１０１との無線信号の送受信を行い、有線用の信号に変換する。ネットワークシステム１０３は、交換機能を持ち、専用線又はＡＴＭ（Ａｓｙｎｃｈｒｏｎｏｕｓ  Ｔｒａｎｓｆｅｒ  Ｍｏｄｅ）を介して基地局装置１０２と接続されている。
【００４０】
なお、以降の記述においては、通信端末装置１０１は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ，広帯域符号分割多重アクセス）方式またはＭＣ−ＣＤＭＡ（Ｍｕｌｔｉ−Ｃａｒｒｉｅｒ  ＣＤＭＡ）の第三世代携帯電話機を想定して記載するが、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ），ＰＨＳ（Ｐｅｒｓｏｎａｌ  Ｈａｎｄｙ−ｐｈｏｎｅ  Ｓｙｓｔｅｍ）、ＰＤＣ（Ｐｅｒｓｏｎａｌ  Ｄｉｇｉｔａｌ  Ｃｅｌｌｕｌａｒ）等の携帯電話機またはコードレス電話機においても適用可能である。
【００４１】
基地局装置１０２は、無線通信部１０４、接続制御部１０５、信号処理部１０６、端末状態管理部１０７、有線通信部１０８及びリソース状態管理部１０９、を具備する。無線通信部１０４は、定期信号検出部１０４１を有する。接続制御部１０５は、判定部１０５１、リソース予約割当部１０５２、リソース確保部１０５３及び端末状態判定部１０５４を有する。
【００４２】
無線通信部１０４は、通信端末装置１０１との間で無線信号の送受信を行う。無線通信部１０４は、アンテナ、増幅器、送信用の電源及び制御プログラムを備え、通信端末装置１０１の送信電力制御及び無線／有線信号の変調処理等を行う。定期信号検出部１０４１は、通信端末装置１０１が定期的に出力する信号を検出する。
【００４３】
接続制御部１０５は、ネットワークシステム１０３の要求に応じて、通信端末装置１０１に対する通信の接続制御及び切断制御を行う。接続制御部１０５は、通常、基地局の制御カード内のプログラムとして実装される。判定部１０５１は、基地局装置１０２のセル内にある通信端末装置１０１が、移動中端末装置であるか又は静止端末装置であるかの判定を行う。なお、本実施の形態では、原則としてセル間をまたがる移動を行った端末を移動中端末装置、セル間をまたぐ移動を行わない端末を静止端末装置としている。ただし、電源ＯＮ後、ＡＴＴＡＣＨ処理が完了した直後は端末状態の初期設定を移動中端末装置としている。これは、基地局装置１０２は、ＡＴＴＡＣＨだけでは移動中端末装置と静止端末装置との区別ができないため、静止端末装置であることが明確な通信端末装置１０１にのみ静止端末装置用のリソースを割り当てるためである。なお、通信端末装置１０１の位置情報を何らかの方式（端末から位置情報の通知がある、基地局装置１０２が電波状態や他の位置測定方式を用いる等で収容している端末の位置を知ることができる、ＲＮＣ（Ｒａｄｉｏ  Ｎｅｔｗｏｒｋ  Ｃｏｎｔｒｏｌｌｅｒ）を含むネットワークシステム１０３から通信端末装置１０１の位置情報を通知される）で特定可能な場合は、基地局装置１０２がセル内における端末の移動の有無を検出可能であるから、この情報をもとに移動中端末装置と静止端末装置の判定を行っても良い。リソース予約割当部１０５２は、判定部１０５１が判定した移動中端末装置及び静止端末装置の数に基づいて移動中端末装置用及び静止端末装置用に基地局装置１０２のリソースについて予約リソースの割り当てを行い、かつ、リソース状態管理部のリソース状態を書き換える。リソース確保部１０５３は、リソースの確保及び解放を行うと共に、リソース状態管理部１０９のリソース状態を書き換える。端末状態判定部１０５４は、通信端末装置１０１が通信中であるか待受中であるか等の端末状態を判定し、端末状態管理部１０７における端末状態を書き換える。
【００４４】
信号処理部１０６は、通信端末装置１０１からの無線信号の符号変調処理及び有線信号への変換等の信号処理を行う。端末状態管理部１０７は、判定部１０５１での判定に従い、通信端末装置１０１が移動中端末装置であるか静止端末装置であるかの状態及び通信中であるか待受中であるか等の端末状態を管理する。有線通信部１０８は、ネットワークシステム１０３との信号の送受信を行う。リソース状態管理部１０９は、基地局装置１０２のリソースの状態を管理する。
【００４５】
図２及び図３は、それぞれ端末状態管理部１０７とリソース状態管理部１０９のフィールドを示した図である。
【００４６】
端末番号２０１は、通信端末装置１０１ごとに固有につけられるものであり、基地局装置１０２はこの端末番号２０１により通信端末装置１０１を識別する。周波数２０２は、通信端末装置１０１が通信を行う周波数が記録される。
【００４７】
チャネライゼーションコード２０３は、基地局装置１０２のセル内で通信端末装置１０１を識別するためのチャネライゼーションコードである。なお、Ｗ−ＣＤＭＡ方式においては、基地局装置１０２ごとにスクランブリングコードが割り当てられ、また、通信端末装置１０１ごとにチャネライゼーションコードが割り当てられ、両者を併せて１つのコードを生成することにより、基地局装置１０２と通信端末装置１０１とが通信を行うチャネルを識別する。
【００４８】
端末状態２０４は、通信端末装置１０１の端末状態を格納する。端末状態２０４の内容は後述する。静止端末装置フラグ２０５は、移動中端末装置と静止端末装置の区別をするためのフラグである。静止端末装置フラグ２０５は、判定部１０５１が静止端末装置と判定した通信端末装置１０１のデータにおいてＯＮになる。
【００４９】
リソース番号３０１は、リソースごとに固有につけられ、リソースを識別するためのものである。リソース状態３０２は、リソースの状態を記録するものである。リソース状態３０２の内容は後述する。
【００５０】
割当端末番号３０３は、リソースを割り当てた通信端末装置１０１の端末番号である。なお、本実施の形態では通信端末装置と呼が１対１に対応することを前提としているが、そうでない場合は割当端末番号３０３の代わりに呼の識別をするための情報を格納しても同様の効果が得られる。
【００５１】
図４は、基地局装置１０２の端末状態管理部１０７で管理する端末状態を説明するための図である。端末状態には、アイドル（Ｉｄｌｅ）状態、待受中状態、通信中状態及びハンドオーバー中状態がある。（１）アイドル状態（４０１）とは、通信端末装置１０１が信号を発生していない状態（端末状態管理部１０７には登録されていない）をいう。（２）待受中状態（４０２）とは、通信端末装置１０１がＡＴＴＡＣＨ（位置登録処理）を行い、着信可能になっている状態をいう。（３）通信中状態（４０３）とは、通信端末装置１０１ごとに基地局装置１０２が割り当てる個別チャネルを基地局装置１０２が確保し、通信端末装置１０１と基地局装置１０２とがＡＴＴＡＣＨ以外の通信を行っている状態をいう。（４）ハンドオーバー中状態（４０４）とは、通信中に通信端末装置１０１の信号が検出できなくなった状態をいう。端末状態がハンドオーバー中状態４０４に遷移した後に予め設定したタイムアウト時間が経過すると、基地局装置１０２は当該通信端末装置１０１の信号が自セルから消滅したと見なしてアイドル状態４０１になる。
【００５２】
図５は、基地局装置１０２のリソース状態管理部１０９で管理するリソース状態を説明するための図である。リソース状態には、空き状態、移動中端末装置予約中状態、静止端末装置予約中状態、使用中状態及びハンドオーバー予約中状態がある。（１）空き状態（５０１）とは、リソースが使用可能な状態をいう。（２）移動中端末装置予約中状態（５０２）とは、移動中端末装置の数に応じて予約された状態をいい、また、静止端末装置予約中状態（５０３）とは、それぞれ静止端末装置の数に応じて予約された状態をいう。呼が発生した場合、空きリソースがないときに初めて予約中のリソース（以下、予約リソースと呼ぶ）が割り当てられる。（３）使用中（５０４）とは、リソースを使用して通信が行われている状態をいう。（４）ハンドオーバー予約中状態（５０５）とは、使用中状態５０４でリソースが割り当てられていた通信端末装置１０１が通信中に何らかの理由で基地局装置１０２から検出できなくなった場合のリソース状態をいう。本状態に遷移後一定期間、基地局装置１０２が同じ通信端末装置１０１を検知できなかった時には空き状態５０１に移行する。
【００５３】
図６は、通信端末装置１０１の利用者が、電源ＯＮ、通信端末装置１０１の発着信と呼接続及び呼の切断の４つの操作を行った場合に通信端末装置１０１が実施する５つの処理（ＡＴＴＡＣＨ、待受中、通信開始、通信終了、ＤＥＴＡＣＨ）と、そのときの端末状態管理部１０７における端末状態の変化を示す図である。図６の時間軸に沿って、基地局装置１０２の動作を図４並びに図５の状態遷移図及び図７〜図９のフロー図を参照して説明する。
【００５４】
まず、通信端末装置１０１の電源ＯＮ時の処理（時刻６０１〜時刻６０２）について説明する。
【００５５】
通信端末装置１０１の電源が投入された時は、通信端末装置１０１はネットワークシステム１０３に位置登録を行い、他の通信端末装置１０１からの着信を可能にするＡＴＴＡＣＨ処理を行う。
【００５６】
通信端末装置１０１がＡＴＴＡＣＨ用の個別チャネルを共通チャネルを介してネットワークシステム１０３に要求し、ネットワークシステム１０３が基地局装置１０２に対してチャネル設定要求を出力する。それを受け取った基地局装置１０２が通信端末装置１０１へ個別チャネルを通知することにより、時刻６０１において通信端末装置１０１に対して個別チャネルが割り当てられる。通信端末装置１０１は、その個別チャネルを用いて自身が属する基地局装置１０２をネットワークシステム１０３に通知し、他の通信端末装置１０１からの着信を可能とした後、時刻６０２で個別チャネルを切断する。
【００５７】
この流れを詳細に説明すると、まず、通信端末装置１０１からのネットワークシステム１０３に対するチャネル確保要求は、通信端末装置１０１から基地局装置１０２に対して共通チャネルを介して出力される。共通チャネルは、基地局装置１０２が起動時に開設する。よって、通信端末装置１０１からの確保要求においては、接続制御部１０５はチャネルの開設処理を行わず、単に無線通信部１０４で受信され、信号処理部１０６が有線用の信号に変換し、有線通信部１０８がネットワークシステム１０３に対して出力する。
【００５８】
これに対して、ネットワークシステム１０３は、チャネル設定要求を基地局装置１０２に出力する。これを基地局装置１０２の有線通信部１０８が受信すると、要求がチャネル設定要求であるため、接続制御部１０５がこれを検出して、図７に示すチャネル割当処理を行う。
【００５９】
図７においては、接続制御部１０５がチャネル設定要求を受信する（ステップＳＴ７０１）。ステップＳＴ７０２においては、リソース確保部１０５３がチャネル設定要求の処理の内容を判断する。この場合のチャネル設定要求はリソースの割当処理であるため、ステップＳＴ７０３へ進み、リソース確保部１０５３は、チャネル設定要求の内容によって、ＡＴＴＡＣＨかそれ以外かを判断する。チャネル設定要求の内容がＡＴＴＡＣＨの場合には、ステップＳＴ７０４において、リソース確保部１０５３は、チャネル設定要求の内容がＡＴＴＡＣＨであることを示す信号を端末状態判定部１０５４に与えると共に、ＡＴＴＡＣＨ時の処理を行う。このＡＴＴＡＣＨ時の処理の詳細は図８を用いて説明する。
【００６０】
図８におけるＡＴＴＡＣＨ時の処理は、ＡＴＴＡＣＨへのリソース割り当て処理と端末数の変化に伴うリソースの予約処理の２つに分かれ、以下のように処理を行う。
【００６１】
まず、リソース確保部１０５３は、基地局装置１０２におけるリソースの空き状態の有無を確認する（ステップＳＴ８０１）。リソースに空きがある場合（ステップＳＴ８０１ＹＥＳ）には、リソース確保部１０５３は、空きリソースにＡＴＴＡＣＨを割り当てる（ステップＳＴ８０２）。リソースに空きがない場合（ステップＳＴ８０１ＮＯ）には、リソース確保部１０５３は、ＡＴＴＡＣＨ開始時には判定部１０５１が通信端末装置１０１を移動中端末装置と判定するため、移動中端末装置に対する予約リソースの有無を確認する（ステップＳＴ８０３）。移動中端末装置予約中状態のリソースがあれば（ステップＳＴ８０３ＹＥＳ）、リソース確保部１０５３はそのリソースにＡＴＴＡＣＨを割り当てる（ステップＳＴ８０４）。移動中端末装置予約中状態のリソースがない時（ステップＳＴ８０３ＮＯ）には、残りのリソースは使用中状態又は静止端末装置予約中状態のリソースだけが残っているため、リソース確保部１０５３は、ＡＴＴＡＣＨにリソースを割り当てることができず、ＡＴＴＡＣＨを呼損とする（ステップＳＴ８０５）。
【００６２】
ステップＳＴ８０２又はステップＳＴ８０４において、リソース確保部１０５３は、ＡＴＴＡＣＨに対してリソースを確保すると、判定部１０５１にチャネルを確保したことを通知し、判定部１０５１は、ＡＴＴＡＣＨしてきた通信端末装置１０１の端末番号を記録し、端末状態管理部１０７の静止端末装置フラグを移動中端末装置にすると共に、周波数及びチャネライゼーションコードを記録する（ステップＳＴ８０６）。また、リソース確保部１０５３は、そのリソースについてリソース状態管理部１０９のリソース状態を使用中とし、また、割当端末番号を記録する。そして、リソース確保部１０５３は、ＡＴＴＡＣＨに対してリソースを確保したことを示す信号を端末状態判定部１０５４に与える。端末状態判定部１０５４は、上述のチャネル設定要求の内容がＡＴＴＡＣＨであることを示す信号及びＡＴＴＡＣＨに対してリソースを確保したことを示す信号を受け取ると、通信端末装置１０１の端末状態を待受中状態であると判定し、端末状態管理部１０７のフィールドにおける端末状態２０４を待受中状態４０２にする。また、本実施の形態においては、判定部１０５１は、最初は通信端末装置１０１を移動中端末装置として取り扱うので、静止端末装置フラグ２０５はＯＦＦとする。なお、本実施の形態では、新しく登録され過去の履歴が基地局装置１０２内に存在しない端末を移動中端末装置と仮定するが、通信端末装置１０１が無線ＬＡＮなどの他の種別の通信方式を介して基地局装置１０２に端末状態を通知して、ネットワークシステム１０３側で静止端末装置か移動中端末装置の区別が可能な場合には、最初から静止端末装置フラグをＯＮにすることも可能である。
【００６３】
次に、端末状態管理部１０７の静止端末装置フラグ２０５に変動があると、接続制御部１０５のリソース予約割当部１０５２は、リソースの予約処理（図９）を行う（ステップＳＴ８０７）。このリソース予約処理が終了すると、図８のＡＴＴＡＣＨ処理も完了し、また、図７の割当・解放処理も完了する。
【００６４】
リソース予約処理（ステップＳＴ８０７）の詳細を図９を用いて説明する。なお、このリソース予約処理は、リソースの解放時等にも使用される共通の処理である。
【００６５】
まず、リソース予約割当部１０５２は、静止端末装置と移動中端末装置のリソースの所要予約数、及び、所要予約数に対する不足数を計算する（ステップＳＴ９０１）。リソース予約割当部１０５２は、端末状態管理部１０７を検索し、静止端末装置の数（Ｎｕｍ＿Ｓｔｉｌｌ）と移動中端末装置の数（Ｎｕｍ＿Ｍｏｖｉｎｇ）を調べる。次にその一定割合（静止端末装置の率：Ｒａｔｅ＿Ｓｔｉｌｌ，  移動中端末装置の率：Ｒａｔｅ＿Ｍｏｖｉｎｇ）をそれぞれの端末の数に掛け、静止端末装置と移動中端末装置の所要予約リソース数を求める。
【００６６】
所要予約リソース数は、静止端末装置と移動中端末装置それぞれの値に定数を掛けた値であり、数式で以下のように表される。
静止端末装置用の所要予約リソース数（Ｒｅｓｅｒｖｅ＿Ｓｔｉｌｌ）＝Ｎｕｍ＿Ｓｔｉｌｌ×Ｒａｔｅ＿Ｓｔｉｌｌ
移動中端末装置用の所要予約リソース数（Ｒｅｓｅｒｖｅ＿Ｍｏｖｉｎｇ）＝Ｎｕｍ＿Ｍｏｖｉｎｇ×Ｒａｔｅ＿Ｍｏｖｉｎｇ
【００６７】
ここで、Ｒｅｓｅｒｖｅ＿Ｓｔｉｌｌは静止端末装置用の所要予約リソース数であり、Ｒａｔｅ＿Ｓｔｉｌｌは静止端末装置全体の数と静止端末装置の内で通信中の通信端末装置の数との比である。同様に、Ｒｅｓｅｒｖｅ＿Ｍｏｖｉｎｇは移動中端末装置用の所要予約リソース数であり、Ｒａｔｅ＿Ｍｏｖｉｎｇは移動中端末装置全体の数と移動中端末装置の内で通信中の通信端末装置の数との比である。
【００６８】
まず、リソース予約割当部１０５２は、静止端末装置用の所要リソース予約数Ｒｅｓｅｒｖｅ＿Ｓｔｉｌｌと現在の「静止端末装置予約中」状態のリソース数Ｐｒｅｓｅｎｔ＿Ｓｔｉｌｌとを比較する（ステップＳＴ９０２）。前者が少ない場合（ステップＳＴ９０２ＹＥＳ）には改めて予約する必要はないので、ステップＳＴ９０５以降の移動中端末装置用のリソースの予約処理に進む。現在の予約リソース数が不足している場合（ステップＳＴ９０２ＮＯ）には、リソース予約割当部１０５２は、空きリソースの有無を調べる（ステップＳＴ９０３）。空きリソースがある時（ステップＳＴ９０３ＹＥＳ）には、リソース予約割当部１０５２は、まず予約する必要のある不足リソース数Ｄｅｆｉｃｉｅｎｃｙ＿Ｓｔｉｌｌを式（Ｄｅｆｉｃｉｅｎｃｙ＿Ｓｔｉｌｌ  ＝  Ｐｒｅｓｅｎｔ＿Ｓｔｉｌｌ  −  Ｒｅｓｅｒｖｅ＿Ｓｔｉｌｌ）で計算する。
【００６９】
ここで、不足リソース数Ｄｅｆｉｃｉｅｎｃｙ＿Ｓｔｉｌｌは、リソースが不足している時にマイナスの数となる。そして、リソース予約割当部１０５２は、空きリソースの不足リソース数Ｄｅｆｉｃｉｅｎｃｙ＿Ｓｔｉｌｌ分を新たに「静止端末装置予約中」するか、又は、空きリソース数が不足リソース数Ｄｅｆｉｃｉｅｎｃｙ＿Ｓｔｉｌｌよりも少ない場合には、空きリソース数分のリソースを新たに「静止端末装置予約中」とする（ステップＳＴ９０４）。
【００７０】
次に、リソース予約割当部１０５２は、移動中端末装置用の所要リソース予約数Ｒｅｓｅｒｖｅ＿Ｍｏｖｉｎｇと現在の「移動中端末装置予約中」状態のリソース数Ｐｒｅｓｅｎｔ＿Ｍｏｖｉｎｇとを比較する（ステップＳＴ９０５）。前者が少ない場合（ステップＳＴ９０５ＹＥＳ）には、改めて予約する必要はないので、リソース予約割当部１０５２はリソース予約処理を終了する。現在の予約リソース数が不足している場合（ステップＳＴ９０５ＮＯ）には、リソース予約割当部１０５２は、空きリソースの有無をしらべる（ステップＳＴ９０６）。空きリソースがある時（ステップＳＴ９０７ＹＥＳ）には、リソース予約割当部１０５２は、まず予約する必要のある不足リソース数Ｄｅｆｉｃｉｅｎｃｙ＿Ｍｏｖｉｎｇを式（Ｄｅｆｉｃｉｅｎｃｙ＿Ｍｏｖｉｎｇ  ＝  Ｐｒｅｓｅｎｔ＿Ｍｏｖｉｎｇ  −  Ｒｅｓｅｒｖｅ＿Ｍｏｖｉｎｇ）で計算する。
【００７１】
ここで、不足リソース数Ｄｅｆｉｃｉｅｎｃｙ＿Ｍｏｖｉｎｇは、リソースが不足している時にマイナスの数となる。そして、リソース予約割当部１０５２は、空きリソースの不足リソース数Ｄｅｆｉｃｉｅｎｃｙ＿Ｍｏｖｉｎｇ分を新たに「移動中端末装置予約中」とするか、又は、空きリソース数が不足リソース数Ｄｅｆｉｃｉｅｎｃｙ＿Ｍｏｖｉｎｇよりも少ない場合には、空きリソース数分のリソースを新たに「移動中端末装置予約中」とする（ステップＳＴ９０７）。これでリソースの予約処理が終了する。
【００７２】
以上のようにして、ＡＴＴＡＣＨに対するリソースの割り当て処理が終わった後は、通信端末装置１０１とネットワークシステム１０３との間でＡＴＴＡＣＨの登録処理が行われる。このＡＴＴＡＣＨがあった時には、端末状態判定部１０５４は、端末状態管理部１０７において通信端末装置１０１の端末状態を待受中状態とする。ＡＴＴＡＣＨが終了する時には、図６における時刻６０２に図７に示したチャネル解放時の処理が行われる。ここでは、リソース確保部１０５３は、チャネルの設定内容が解放であるので、ステップＳＴ７０２からステップＳＴ７０６に進み、ステップＳＴ７０６の判断においては、本処理がハンドオーバー中の処理ではないので、リソース状態を使用中５０４から空き５０１に戻す（ステップＳＴ７０７）。その後、リソース予約割当部１０５２がリソース予約処理（ステップＳＴ７０８）を行う。
【００７３】
なお、上述の通信端末装置１０１の電源ＯＮ時の処理は、待受中に他のセルから自セルに入ってきた時にも行われる処理である。
【００７４】
次に、通信端末装置１０１の待受中の処理（時刻６０２〜時刻６０３）について説明する。
【００７５】
時刻６０２から時刻６０３の待ち受け時には、端末状態管理部１０７の端末状態２０４は、待受中となっている。判定部１０５１は、端末状態２０４が待受中となっているものについて、通信端末装置１０１が静止端末装置であるか又は移動中端末装置であるかの判定を行う。ここで、Ｗ−ＣＤＭＡ方式においては、待受中・通信中等の通信端末装置１０１のレイヤ３の状態はネットワークシステム１０３を構成する移動交換局（図に記載なし）で管理される。基地局装置１０２の役割は、物理チャネルの設定と解放であり、レイヤ３の状態変化による動作は通常定義されていない。そのため、個別チャネルを流れる通信端末装置１０１のレイヤ３の情報を元にレイヤ３の状態を判別できない。よって、本実施の形態ではレイヤ３信号を用いず、通常の公衆網に接続された基地局装置１０２で取得できる信号だけを用いて擬似的に待ち受け状態、アイドル状態を管理する方法を示す。なお、例えば構内の交換機が無線内線端末装置を収容する場合など、基地局装置１０２側でレイヤ３信号を取得できる場合には、その情報を用いて通信端末装置１０１の状態を管理しても本実施の形態と同様の効果が得られる。
【００７６】
待受中状態において、通信端末装置１０１が静止端末装置であるか又は移動中端末装置であるかの判定を判定部１０５１が行うのは、待受中において通信端末装置１０１が、他のセルへ移動する場合、又は、他のセルから入ってきた通信端末装置１０１が自セル内で停止する場合に、静止端末装置フラグ２０５を書き換える処理を行うことにより、移動中端末装置と静止端末装置との区別を適切に行って各々に対してリソースの予約を行うことで、移動中端末装置及び静止端末装置のそれぞれの通信を保護するためである。
【００７７】
まず、待受中とアイドルの状態は通信を行っていないことで共通するが、この両状態を判定する方法を記す。一般的には、基地局においては待受中や電源ＯＦＦ時はチャネルが開設されていないので、この両者の区別ができない。本実施の形態では、通信端末装置１０１が定期的に出力する信号を定期信号検出部１０４１を用いて検出する。
【００７８】
定期信号検出部１０４１は、現在基地局装置１０２が収容している全ての通信端末装置１０１の信号を監視しており、一定期間以上監視対象の信号を検出できない場合には、端末状態管理部１０７における通信端末装置１０１の端末状態をアイドル状態４０１にして、端末状態管理部１０７から削除する。また、移動中端末装置として数えられていた通信端末装置１０１が減少することになるため、リソース予約割当部１０５２は、リソースの予約処理を行うことになる。
【００７９】
なお、定期信号検出部１０４１が監視対象の信号を検出する際に用いる一定期間は、通信端末装置１０１が信号を出力する間隔より長くなければならない。
【００８０】
本実施の形態において、図６の時刻６０２〜時刻６０３の間では、通信端末装置１０１は、待受中状態であり、定期的に信号を出力し続ける。その間、定期信号検出部１０４１は、通信端末装置１０１が出力する信号を受信し続けるため、端末状態管理部の端末状態２０４やリソース状態管理部１０９のリソース状態３０２は変化しない。
【００８１】
なお、本実施の形態では、上述の通り通信端末装置１０１がＷ−ＣＤＭＡ方式に適用するものを想定して説明しているので、上記定期信号として通信端末装置１０１が待受中に間欠受信を行っている時に出力するスクランブリングコードを用いて、そのスクランブリングコードにより、判定部１０５１は、通信端末装置１０１が待受中状態であることを判定する。また、回線交換を行う通信端末装置１０１は「Ｐｅｒｉｏｄｉｃ  Ｌｏｃａｔｉｏｎ  Ｕｐｄａｔｅ」を音声通話中に出力するため、定期信号検出部１０４１が「Ｐｅｒｉｏｄｉｃ  Ｌｏｃａｔｉｏｎ  Ｕｐｄａｔｅ」を監視対象の信号としても同様の効果が得られる。
【００８２】
次に、通信端末装置１０１が静止端末装置であるか又は移動中端末装置であるかの判定方法を記す。通信端末装置１０１は、電源をＯＮにした場合も、他のセルから待受中に自セルに進入した場合も、ＡＴＴＡＣＨを実施する。基地局装置１０２は、ＡＴＴＡＣＨが発生する原因となる操作が不明であるため、ＡＴＴＡＣＨによっては静止端末装置と移動中端末装置の区別ができない。よって、静止端末装置の判定方法としては、通信端末装置１０１が自セルに進入してから一定期間、例えば３０分〜１時間程度セル間移動がなくその通信端末装置１０１が発信する定期的な信号を定期信号検出部１０４１が検出し続けた時に、判定部１０５１は、その通信端末装置１０１を静止端末装置と判定する方式が考えられる。
【００８３】
次に、通信端末装置１０１が発信等の操作を行って通信を開始した時の基地局装置１０２の処理について図１０を参照しつつ説明する。図１０は、基地局装置１０２が行う個別チャネル確保処理のフロー図である。
【００８４】
通信を開始する際は、通信端末装置１０１と基地局装置１０２との間に通信用の個別チャネルが開設される。その際、通信端末装置１０１の端末状態が移動中端末装置か静止端末装置かにより、接続制御部１０５のリソース確保部１０５３は、次のように通信端末装置１０１に対して個別チャネルを確保する。ａ）リソース状態管理部１０９で空きリソースがあれば（ステップＳＴ１００１ＹＥＳ）、リソース確保部１０５３は、空きリソースを呼のために確保する（ステップＳＴ１００２）。ｂ）空きリソースが無く（ステップＳＴ１００１ＮＯ）、通信端末装置１０１の端末状態に対応する予約リソース（静止端末装置フラグＯＮ→静止端末装置予約中リソース、静止端末装置フラグＯＦＦ→移動中端末装置予約中リソース）があれば（ステップＳＴ１００３ＹＥＳ、ステップＳＴ１００５ＹＥＳ）、リソース確保部１０５３は、そのリソースを確保する（ステップＳＴ１００４、ステップＳＴ１００６）。ｃ）空きリソース、予約リソースが共にない場合（ステップＳＴ１００３ＮＯ、かつ、ステップＳＴ１００５ＮＯ）は、リソース確保部１０５３は、その呼を呼損とする（ステップＳＴ１００７）。なお、上記ａ）、ｂ）の場合で、リソースを呼に確保する時には、リソース確保部１０５３は、端末状態管理部１０７の端末状態を通信中状態とする（ステップＳＴ１００８）。
【００８５】
なお、本実施の形態では空きリソースがある場合は、空きリソースに優先して呼を割り当てたが、予約リソースに優先して呼を割り当てる場合でも待受中の通信端末装置１０１から呼が発生した時にその呼の一定割合を静止端末装置用の予約リソース又は移動中端末装置用の予約リソースに必ず割り当てられるという効果は得られる。
【００８６】
次に、通信端末装置１０１の通信終了時の基地局装置１０２の処理（時刻６０４）について説明する。
【００８７】
時刻６０４の通信終了時は、通信端末装置１０１と基地局装置１０２との間の通信に用いられた個別チャネルがネットワークシステム１０３からのチャネル設定要求により解放される。このとき、予約リソースが不足していれば、リソース予約割当部１０５２は、解放されたリソースから不足分を予約する。
【００８８】
詳細について、図７を参照して説明すると、接続制御部１０５がネットワークシステム１０３からチャネル設定要求を受信する（ステップＳＴ７０１）。ステップＳＴ７０２においては、リソース確保部１０５３は、チャネル設定要求の処理の内容を判断し、この場合のチャネル設定要求は、リソースの解放処理であるため、ステップＳＴ７０６へ進む。ステップ７０６では、リソース確保部１０５３は、通信端末装置１０１がハンドオーバー中であるか否かを判断し、この場合はハンドオーバー中でないので、通信端末装置１０１の呼のために確保されていたリソースを解放する。リソース確保部１０５３は、通信端末装置１０１の呼のために確保されていたリソースを解放したことを示す信号を端末状態判定部１０５４に与えると、端末状態判定部１０５４は、通信端末装置１０１の端末状態を待受中と判断し、端末状態管理部１０７におけるその通信端末装置１０１の端末状態を通信中から待受中に変更する。リソース確保部１０５３は、通信端末装置１０１の呼のために確保されていたリソースのリソース状態も一旦空き状態に変更する（ステップＳＴ７０７）。そして、リソース予約割当部１０５２は、静止端末装置と移動中端末装置の数に応じたリソースを予約するリソース予約処理を行う（ステップＳＴ７０８）。
【００８９】
次に、通信端末装置１０１の電源ＯＦＦ時のＤＥＴＡＣＨ処理（時刻６０５〜時刻６０６）について図１１を参照しつつ説明する。なお、本実施の形態ではＤＥＴＡＣＨ処理を基地局装置１０２がＡＴＴＡＣＨ処理または他のサービスの割当処理と区別できないことを前提としている。従って、定期信号の消失を端末状態遷移の契機としているが、基地局装置１０２がＤＥＴＡＣＨを他のサービスと区別できる場合は、ＤＥＴＡＣＨを契機として待受中からアイドル状態としても本実施の形態と同様の効果が得られる。
【００９０】
時刻６０５において、通信端末装置１０１の電源がＯＦＦになると、通信端末装置１０１は、基地局装置１０２を介してネットワークシステム１０３に向けてＤＥＴＡＣＨを行う要求を出力する。ここで、ＤＥＴＡＣＨは、ＡＴＴＡＣＨとは逆に、ネットワークシステム１０３における通信端末装置１０１の登録を削除し、通信端末装置１０１においてネットワークシステム１０３からの基地局装置１０２経由の着信を不可能にする処理である。ＤＥＴＡＣＨ処理終了後は、通信端末装置１０１は、基地局装置１０２に対する信号を出力しなくなる。ＤＥＴＡＣＨ処理においても、通信端末装置１０１とネットワークシステム１０３との通信に用いる個別チャネルが確保され、ＤＥＴＡＣＨ処理終了時にその個別チャネルが解放されるが、ＡＴＴＡＣＨ処理の時の基地局装置１０２の動作と同様であるため、その説明は省略する。
【００９１】
ＤＥＴＡＣＨ処理の前の端末状態管理部１０７における通信端末装置１０１の端末状態は待受中である。そして、その端末状態は、ＤＥＴＡＣＨ処理実行中は通信中となり、ＤＥＴＡＣＨ処理の終了後は再び待受中になる。しかし、ＤＥＴＡＣＨ処理終了後は通信端末装置１０１が定期的な信号を出力しないため、定期信号検出部１０４１は、通信端末装置１０１が出力する定期信号を検出することができない。ここで、図１１に示す定期信号消失時の処理が開始される。定期信号検出部１０４１は、通信端末装置１０１から発せられる定期信号を検出できなくなると、その通信端末装置１０１からの定期信号を検出できなくなったことを示す信号をリソース確保部１０５３及び端末状態判定部１０５４に与える。それにより、リソース確保部１０５３は、その通信端末装置１０１のために確保しているリソースのリソース状態管理部１０９におけるリソース状態をハンドオーバー予約中５０５とし、また、端末状態判定部１０５４は、その通信端末装置１０１の端末状態管理部１０７における端末状態をハンドオーバー中状態４０４とする。そして、定期信号検出部１０４１は、タイマー部を備えており、タイムアウト時間が過ぎた時にそのことを伝える信号をリソース確保部１０５３及び端末状態判定部１０５４に与える。それにより、リソース確保部１０５３は、その通信端末装置１０１のために確保しているリソースのリソース状態管理部１０９におけるリソース状態を空き状態５０１とし、また、端末状態判定部１０５４は、その通信端末装置１０１の端末状態管理部１０７における端末状態をアイドル状態４０１として該当の通信端末装置１０１の情報を端末状態管理部１０７から削除する（ステップＳＴ１１０１）。
【００９２】
ＤＥＴＡＣＨ処理終了時は、基地局装置１０２配下の通信端末装置１０１が減少するので、通信端末装置１０１の数と比例関係を持つ所要リソース予約数も減少するため、予約リソースの解放が必要になる可能性がある。よって、ＤＥＴＡＣＨ処理終了時は、リソース予約割当部１０５２は、リソース予約処理（ステップＳＴ１１０２）を行い、静止端末装置と移動中端末装置に対する予約リソース数を算出し、現時点の予約リソース数の方が大きい場合は、その差分の予約リソースを解放する処理を行う。
【００９３】
なお、通信端末装置１０１の電源がＯＦＦになった訳でなく何らかの原因により、待受中であった通信端末装置１０１から発せられる定期信号を定期信号検出部１０４１が検出できなくなった時には、上記ＤＥＴＡＣＨ処理は行われないが、定期信号が一定期間消失すると上述のステップＳＴ１１０１の処理が行われる。その結果、ＤＥＴＡＣＨ処理終了時と同様に、基地局装置１０２配下の通信端末装置１０１が減少するので、通信端末装置１０１の数と比例関係を持つ所要予約リソース数も減少するため、予約リソースの解放が必要になる可能性がある。よって、リソース予約割当部１０５２は、リソース予約処理を行い、静止端末装置と移動中端末装置に対する予約リソース数を算出し、現時点の予約リソース数の方が大きい場合には、その差分の予約リソースを解放する処理を行う。
【００９４】
図１２は、通信端末装置１０１が通信中にセル間ハンドオーバーを行って他のセルから自セルに進入し、通信中のまま他のセルへ退出した場合の基地局装置１０２の端末状態管理部１０７における端末状態の変化を示す図である。図１２の時間軸に沿って、基地局装置１０２の動作を図４並びに図５の状態遷移図及び図７〜図９のフロー図を参照して説明する。
【００９５】
通信中に他のセルから通信端末装置１０１が進入してきた時には、基地局装置１０２はセル間ハンドオーバーの動作を行う。図１２に他のセルから通信中に進入（時刻１２０１）した通信端末装置１０１が、同じく通信中のまま他のセルへ退出した時（時刻１２０２）の端末状態の変化の様子を示した。なお、セル間ハンドオーバーにおいては、ＡＴＴＡＣＨ処理とＤＥＴＡＣＨ処理がない点が、他の通信の場合と異なる。
【００９６】
セル間ハンドオーバーを伴い自セル内に入ってきた通信端末装置１０１は、判定部１０５１により移動中端末装置と判定される。基地局装置１０２は、その通信端末装置１０１が行っている通信のためにリソースを確保する必要があり、その処理は図１０に示す個別チャネル確保処理である。リソース確保部１０５３は、この個別チャネル処理を完了すると、通信端末装置１０１の呼のために個別チャネルを確保したことを示す信号を端末状態判定部１０５４に与え、それにより端末状態判定部１０５４は、通信端末装置１０１の端末状態を通信中４０３と判定して、通信端末装置１０１の端末状態管理部１０７における端末状態を通信中４０３とする。また、リソース確保部１０５３は、この個別チャネル処理を完了すると、確保したリソースのリソース状態管理部１０９におけるリソース状態を使用中とする。
【００９７】
セル退出時の処理は、電波状況の悪化によって通信が切断されてその後電波状況が好転して通信が再び可能になる場合に通信が切断された状態から復帰させる必要があるため、通常のリソース解放と異なりハンドオーバー予約中状態５０５にタイムアウト時間を設け、電波強度の低下等で一定期間通信が切断されている状態が続いた時（時刻１２０３）に、自セルから退出したと判断する。すなわち、定期信号検出部１０４１は、通信端末装置１０１から発せられる定期信号を検出できなくなると、その通信端末装置１０１からの定期信号を検出できなくなったことを示す信号をリソース確保部１０５３及び端末状態判定部１０５４に与える。それにより、リソース確保部１０５３は、その通信端末装置１０１のために確保しているリソースのリソース状態管理部１０９におけるリソース状態をハンドオーバー予約中５０５とし、また、端末状態判定部１０５４は、その通信端末装置１０１の端末状態管理部１０７における端末状態をハンドオーバー中状態４０４とする。そして、定期信号検出部１０４１は、タイマー部を備えており、タイムアウト時間が過ぎた時にそのことを伝える信号をリソース確保部１０５３及び端末状態判定部１０５４に与える。それにより、リソース確保部１０５３は、その通信端末装置１０１のために確保しているリソースのリソース状態管理部１０９におけるリソース状態を空き状態５０１とし、また、端末状態判定部１０５４は、その通信端末装置１０１の端末状態管理部１０７における端末状態をアイドル状態４０１とする。
【００９８】
実施の形態１によれば、通信端末装置１０１が待受中であるか否かを考慮し、その通信端末装置１０１が静止中であるか移動中であるかを判定し通信端末装置１０１の実際の状態に即した状態管理をし、移動中端末装置及び静止中端末の各々に対してリソースの予約を適切に行うことにより、移動中端末装置及び静止端末装置の各々に対して基地局装置１０２のリソースを確実に確保することができる。また、実施の形態１によれば、通信端末装置１０１が静止中であるか移動中であるかの判定結果をその通信端末装置１０１の実際の状態に即して変更するため、リソースの予約をさらに適切に行うことにより、移動中端末装置及び静止端末装置の各々に対して基地局装置１０２のリソースをさらに確実に確保することができる。また、実施の形態１によれば、通信端末装置１０１が静止中であるか移動中であるかの判定結果をその通信端末装置１０１の実際の状態に即して変更するため、実際に静止している通信端末装置に対して起こる干渉を防止することができる。
【００９９】
（実施の形態２）
図１３は、実施の形態２に係る基地局装置１３０１の構成を示すブロック図である。図１４は、端末状態管理部１３０３のフィールドを示した図である。ここで、実施の形態２においては、実施の形態１に係る基地局装置１０２と同じ構成要素には同じ符号が付され、その説明が省略される。
【０１００】
基地局装置１３０１は、無線通信部１３０２、信号処理部１０６、端末状態管理部１３０３、接続制御部１３０４、有線通信部１０８及びリソース状態管理部１０９を具備する。無線通信部１３０２は、定期信号検出部１０４１及び電波測定部１３０２１を有する。接続制御部１３０４は、判定部１３０４１、リソース予約割当部１０５２、リソース確保部１０５３及び端末状態判定部１０５４を有する。
【０１０１】
電波測定部１３０２１は、通信端末装置１０１が発信する電波の受信電力の値を測定して、その値やその履歴を図１４に示す端末状態管理部１３０３のフィールドの電波強度１４０１に記録する。判定部１３０４１は、端末状態管理部１３０３のフィールドの電波強度１４０１に記録された通信端末装置１０１が発信する電波の受信電力の値やその履歴を基に受信電力の値の変動を一定期間ごとに監視して、変動が一定の範囲内である時にはその通信端末装置１０１を静止端末装置と判定し、また、変動が一定の範囲内に収まらない時には、その通信端末装置１０１を移動中端末装置として判定する。なお、電波測定部１３０２１において、受信信号の遅延プロファイルの作成後ＲＡＫＥ合成を行う場合には、電波測定部１３０２１がＲＡＫＥ合成後の相関値などを端末状態管理部１３０３のフィールドの電波強度１４０１に記録するので、判定部１３０４１は、端末状態管理部１３０３のフィールドの電波強度１４０１に記録されたＲＡＫＥ合成後の相関値から得られる相関値の変動を基に通信端末装置１０１が静止端末装置か移動中端末装置かの判定を行う構成としてもよい。
【０１０２】
次に、図６を通信端末装置１０１の利用者が、電源ＯＮ、通信端末装置１０１の発着信と呼接続及び呼の切断の４つの操作を行った場合に通信端末装置１０１が実施する５つの処理（ＡＴＴＡＣＨ、待受中、通信開始、通信終了、ＤＥＴＡＣＨ）と、そのときの端末状態管理部１３０３における端末状態の変化を示す図として、図６の時間軸に沿って、基地局装置１３０１の動作を図４並びに図５の状態遷移図及び図７〜図９のフロー図を参照して説明する。ただし、実施の形態１において説明した基地局装置１０２の動作と異なる部分のみについて説明する。
【０１０３】
基地局装置１３０１の動作と実施の形態１において説明した基地局装置１０２の動作とで異なる部分は、時刻６０２〜時刻６０３の待受中状態において、判定部１３０４１が行う通信端末装置１０１が静止端末装置であるか又は移動中端末装置であるかの判定方法である。
【０１０４】
端末状態管理部１０７の端末状態が待受中になってからは、一定間隔（ｄｍ）で通信端末装置１０１が出力する信号の電波強度を電波測定部１３０２１が測定し、端末状態管理部１０７のフィールドの電波強度１４０１に測定結果を格納する。なお、電波強度１４０１の部分には、Ｒａｋｅ受信に用いられる遅延プロファイルに基づくデータを格納しても良い。Ｗ−ＣＤＭＡでは、移動機の信号が障害物等により複数に分かれて基地局に到着するため、受信側の基地局装置１３０１では、それらの全ての経路の信号を時間をずらして逆拡散することで検出する。検出の際にはチップ単位で決められた上限値までの全ての遅れを人工的に作り、遅れ時間と送信電力値との対応表（遅延プロファイル）を作り、電力レベルが閾値より大きいところの遅れ時間を複数選択する。信号の受信時には選択した遅れ時間の信号を全て受信電力で重み付けをして信号を受信する。通信端末装置１０１の移動時には、この遅れ時間の選択の変化が静止時よりも大きくなるため、移動中端末装置と静止端末装置との区別にも用いることが可能と考えられる。
【０１０５】
例えば、遅延プロファイルにおいて、最初に受信した信号よりも遅延が０．１秒、０．１５秒の時の信号だけ閾値を超えていて、各々の受信電力がそれぞれ−６０ｄｂｍ、−８０ｄｂｍだったとすると、電波強度フィールドに遅延時間（０  ，０．１，０．１５）と受信電力（−６０、−７０、−８０）を記録する。接続制御部１０５の判定部１３０４１は、一定の間隔（ｄｃ）で、予め決めた時間（ｄｄ）分の電波強度１４０１のデータを取得し、時間に対する電波強度の変化度合いを見る。ｄｃは測定間隔ｄｍよりも長くなければならず、例えば、ｄｍは１秒程度、ｄｃ，ｄｄは両方とも１分程度にする。
【０１０６】
変化の度合いは、ｄｄ時間の測定結果を全て取得し、全ての測定値ごとに分散を計算する。分散が閾値を超えた場合には、判定部１３０４１は、通信端末装置１０１を移動中端末装置と判定し、分散が閾値を超えない場合には、通信端末装置１０１を静止端末装置と判定する。そして、判定部１３０４１は、その判定の結果、通信端末装置１０１が静止端末装置であると判定した場合は端末状態管理部１３０３の静止端末装置フラグをＯＮとし、通信端末装置１０１が移動中端末装置であると判定した場合は端末状態管理部１３０３の静止端末装置フラグをとする。
【０１０７】
なお、基地局装置１３０１が自セル内全ての通信端末装置１０１についての全ての時間の電波強度の情報を保存するのは、基地局装置１３０１の処理能力やハードウェアコストの負担が大きいため、測定対象の時間を絞った場合でも本実施の形態の効果は得られる。例えば、予め１分、５分等測定範囲を決めておき過去の測定範囲分のみを記録して後は捨てる方法、又は、１時間に１回５分だけ記録をする方法などでも、本実施の形態の効果は得られる。
【０１０８】
なお、基地局装置１３０１を内線で用いる場合には、別途固定されて完全に静止している電波発生器をセル内に配置し、基地局装置１３０１において測定されるその電波発生器から発生された電波の電波強度の変化と通信端末装置１０１が発生する定期信号の電波強度の変化とを比較し、両者の変化が近似している時にその通信端末装置１０１を静止端末装置として判定する方法を用いた場合でも、本実施の形態の効果は得られる。
【０１０９】
また、特別な形態の機器またはネットワークにおいて、次のような通信端末装置１０１を静止端末装置として判定する方法でも本実施の形態と同様の効果が得られる。例えば、通信端末装置１０１の充電器を接続した構内向けの基地局装置１３０１の充電器を用いて充電している通信端末装置１０１、又は、基地局装置１３０１及び通信端末装置１０１の居場所を示すＰｒｅｓｅｎｃｅ  Ｓｅｒｖｅｒが連携している場合にＰｒｅｓｅｎｃｅ  Ｓｅｒｖｅｒ上に登録されていない通信端末装置１０１などである。
【０１１０】
実施の形態２によれば、通信端末装置１０１が待受中であるか否かを考慮し、その通信端末装置１０１が静止中であるか移動中であるかを判定し通信端末装置１０１の実際の状態に即した状態管理をし、移動中端末装置及び静止中端末の各々に対してリソースの予約を適切に行うことにより、移動中端末装置及び静止端末装置の各々に対して基地局装置１３０１のリソースを確実に確保することができる。また、実施の形態２によれば、通信端末装置１０１が静止中であるか移動中であるかの判定結果を電波測定部１３０２１で測定した電波強度の変動に基づいて通信端末装置１０１の実際の状態に即して変更するため、リソースの予約をさらに適切に行うことにより、移動中端末装置及び静止端末装置の各々に対して基地局装置１３０１のリソースをさらに確実に確保することができる。また、実施の形態２によれば、通信端末装置１０１が静止中であるか移動中であるかの判定結果を電波測定部１３０２１で測定した電波強度の変動に基づいて通信端末装置１０１の実際の状態に即して変更するため、実際に静止している通信端末装置１０１に対して起こる干渉を防止することができる。
【産業上の利用可能性】
【０１１１】
本発明に係る基地局装置及び基地局装置におけるリソースの予約割り当て方法は、通信端末装置が待受中であるか否かを考慮し、その通信端末装置が静止中であるか移動中であるかを通信端末装置の実際の状態に即して判定し通信端末装置の状態管理をして、移動中の通信端末装置及び静止中の通信端末装置の各々に対してリソースを適切に割り当てることができることで有用である。
【図面の簡単な説明】
【０１１２】
【図１】実施の形態１に係る基地局装置の構成を示すブロック図
【図２】実施の形態１に係る基地局装置の端末状態管理部のフィールドを示した図
【図３】実施の形態１に係る基地局装置のリソース状態管理部フィールドを示した図
【図４】実施の形態１に係る基地局装置の端末状態管理部で管理する端末状態を説明するための図
【図５】実施の形態１に係る基地局装置のリソース状態管理部で管理するリソース状態を説明するための図
【図６】通信端末装置の操作を行った場合の端末状態管理部における通信端末装置の端末状態の変化を示す図
【図７】実施の形態１に係る基地局装置が行うチャネル割当処理及びチャネル解放処理のフロー図
【図８】実施の形態１に係る基地局装置が行うＡＴＴＡＣＨ処理のフロー図
【図９】実施の形態１に係る基地局装置が行うリソース予約処理のフロー図
【図１０】実施の形態１に係る基地局装置が行う個別チャネル確保処理のフロー図
【図１１】実施の形態１に係る基地局装置が行う定期信号消失時の処理のフロー図
【図１２】通信端末装置がセル間ハンドオーバーを伴いセル間を移動した場合の基地局装置の端末状態管理部における端末状態の変化を示す図
【図１３】実施の形態２に係る基地局装置の構成を示すブロック図
【図１４】実施の形態２に係る基地局装置の端末状態管理部のフィールドを示した図
【符号の説明】
【０１１３】
１０１  通信端末装置
１０２、１３０１  基地局装置
１０３  ネットワークシステム
１０４、１３０２  無線通信部
１０５、１３０４  接続制御部
１０６  信号処理部
１０７、１３０３  端末状態管理部
１０８  有線通信部
１０９  リソース状態管理部
１０４１  定期信号検出部
１０５１、１３０４１  判定部
１０５２  リソース予約割当部
１０５３  リソース確保部
１０５４  端末状態判定部
１３０２１  電波測定部
【図１】
2005142766.tif 000003
【図２】
2005142766.tif 000004
【図３】
2005142766.tif 000005
【図４】
2005142766.tif 000006
【図５】
2005142766.tif 000007
【図６】
2005142766.tif 000008
【図７】
2005142766.tif 000009
【図８】
2005142766.tif 000010
【図９】
2005142766.tif 000011
【図１０】
2005142766.tif 000012
【図１１】
2005142766.tif 000013
【図１２】
2005142766.tif 000014
【図１３】
2005142766.tif 000015
【図１４】
2005142766.tif 000016